【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
静電容量が変更可能なコンデンサとインダクタンス素子とを備え所定の周波数で共振する共振回路が筐体に収納されて位置検出装置と電磁結合する位置指示器において、
前記共振回路を構成する前記コンデンサは、誘電体と、前記誘電体の一方の側に配設された電極と、トリミング電極とからなり、該トリミング電極が前記誘電体の他方の側に前記誘電体の一方の側に配設された電極と前記誘電体を介して少なくとも一部の領域が対向するように配設されて前記コンデンサの静電容量を形成しており、
前記コンデンサは、前記トリミング電極の前記少なくとも一部の領域が前記筐体から露呈可能となるように前記筐体に収納されており、
前記筐体から外部に露呈された、前記トリミング電極を構成する前記少なくとも一部の領域の面積が、前記共振回路として所望される共振周波数に対応して変更されていることを特徴とする位置指示器。
【請求項２】
前記誘電体の一方の側に配設された電極は、第１の電極と第２の電極から構成されており、前記トリミング電極は前記誘電体を介して前記第１の電極及び前記第２の電極のそれぞれと対向して配設された領域を備えていることを特徴とする請求項１に記載の位置指示器。
【請求項３】
前記誘電体の一方の側に配設された電極は、前記トリミング電極と対向するように前記誘電体の内部に配設されていることを特徴とする請求項１に記載の位置指示器。
【請求項４】
前記コンデンサと他の素子とを電気的に接続するための外部電極を更に備え、
前記誘電体の一方の側に配設された電極と前記トリミング電極は、それぞれが前記外部電極に接続されていることを特徴とする請求項１に記載の位置指示器。
【請求項５】
前記コンデンサと他の素子とを電気的に接続するための外部電極を更に備え、
前記第１の電極及び前記第２の電極は、それぞれ前記外部電極に接続されていることを特徴とする請求項２に記載の位置指示器。
【請求項６】
前記トリミング電極は、前記外部電極の少なくとも１つの電極と電気的に接続された状態で配設されて、前記１つの電極から電気的に分離するためのトリミングが行われていることを特徴とする請求項５に記載の位置指示器。
【請求項７】
前記トリミング電極は、複数の容量形成用領域部と、該複数の容量形成用領域部のそれぞれを連結するための連結部を備えており、前記連結部を分断することで前記コンデンサの静電容量を変更することが可能に構成されていることを特徴とする請求項１に記載の位置指示器。
【請求項８】
前記トリミング電極の前記複数の容量形成用領域部は、前記誘電体の一方の側に配設された電極の前記第１の電極に対向して配設されていることを特徴とする請求項７に記載の位置指示器。
【請求項９】
前記トリミング電極は、複数の容量形成用領域部と、該複数の容量形成用領域部のそれぞれを連結するための連結部を備えており、前記連結部で連結された複数の容量形成用領域部のうち少なくとも１つの容量形成用領域部の面積を変更することで前記コンデンサの静電容量を変更することが可能となるように構成されていることを特徴とする請求項１に記載の位置指示器。
【請求項１０】
前記トリミング電極は、互いに分離した複数の容量形成用領域部を備えており、前記複数の容量形成用領域部のうち少なくとも１つの容量形成用領域部の面積を変更することで前記コンデンサの静電容量を変更することが可能となるように構成されていることを特徴とする請求項１に記載の位置指示器。
【請求項１１】
前記複数の容量形成用領域部は、それぞれが異なる面積を備えていることを特徴とする請求項１０に記載の位置指示器。
【請求項１２】
前記トリミング電極を構成する前記少なくとも一部の領域は、前記誘電体を介して前記第１の電極及び前記第２の電極の少なくとも一方の電極と対向して配設されており、前記第１の電極及び前記第２の電極の少なくとも一方の電極と対向して配設された前記トリミング電極を構成する前記少なくとも一部の領域の面積を変更することで、前記コンデンサの静電容量を変更することが可能となるように構成されていることを特徴とする請求項２に記載の位置指示器。
【請求項１３】
前記筐体の側面には貫通孔が設けられるとともに、該貫通孔には操作子が配設され、前記コンデンサは、前記トリミング電極の前記少なくとも一部の領域が前記操作子の配設される位置の近傍に位置するように前記筐体に収納されることで、前記操作子が配設されていないときには、前記貫通孔を介して前記トリミング電極の前記少なくとも一部の領域が前記筐体から露呈可能となっていることを特徴とする請求項１に記載の位置指示器。
【請求項１４】
前記筐体は少なくとも第１及び第２の部材からなり、前記第２の部材を前記第１の部材に装着することで構成されており、前記コンデンサは、前記第２の部材が前記第１の部材に装着されていないときには前記トリミング電極の前記少なくとも一部の領域が前記筐体から露呈可能となるように前記筐体に収納されていることを特徴とする請求項１に記載の位置指示器。
【請求項１５】
前記トリミング電極の前記少なくとも一部の領域を、前記コンデンサの静電容量に寄与する領域と前記静電容量に寄与しない領域とに分断することで、前記トリミング電極を構成する前記少なくとも一部の領域の面積が、前記共振回路として所望される共振周波数に対応するように変更されていることを特徴とする請求項１に記載の位置指示器。
【請求項１６】
前記トリミング電極の前記少なくとも一部の領域の前記ンデンサの静電容量に寄与する領域と前記静電容量に寄与しない領域との分断は、光学的あるいは機械的に行われることを特徴とする請求項１５に記載の位置指示器。
【請求項１７】
前記トリミング電極は少なくとも炭素を含んだ材料で形成されていることを特徴とする請求項１に記載の位置指示器。
【請求項１８】
前記コンデンサの前記誘電体は、略板状に形成され、前記トリミング電極は、前記誘電体の前記他方の側である前記誘電体の面に一様に配設されていることを特徴とする請求項１に記載の位置指示器。
【請求項１９】
前記第１の電極と前記第２の電極のそれぞれは、前記トリミング電極から等距離の位置であって前記誘電体の内部に収納されていることを特徴とする請求項２に記載の位置指示器。
【請求項２０】
誘電体と、前記誘電体の一方の側に配設された電極と、前記誘電体の他方の側に前記電極とは前記誘電体を介して少なくとも一部の領域が対向するように配設されて前記コンデンサの静電容量を形成するトリミング電極を備えたコンデンサであって、
前記誘電体の一方の側に配設された電極は、第１の電極と第２の電極から構成されて
いるとともに前記コンデンサの外部電極にそれぞれ接続されており、
前記トリミング電極は前記誘電体を介して前記第１の電極及び前記第２の電極のそれぞれと対向して配設された領域を備えており、
前記外部電極の少なくとも１つの電極に重畳して配設された前記トリミング電極を前記１つの電極から電気的に分離するためのトリミングが行われていることを特徴とするコンデンサ。
【手続補正２】
【補正対象書類名】明細書
【補正対象項目名】００２０
【補正方法】変更
【補正の内容】
【００２０】
上記の課題を解決するために、請求項１の発明は、
静電容量が変更可能なコンデンサとインダクタンス素子とを備え所定の周波数で共振する共振回路が筐体に収納されて位置検出装置と電磁結合する位置指示器において、
前記共振回路を構成する前記コンデンサは、誘電体と、前記誘電体の一方の側に配設された電極と、トリミング電極とからなり、該トリミング電極が前記誘電体の他方の側に前記誘電体の一方の側に配設された電極と前記誘電体を介して少なくとも一部の領域が対向するように配設されて前記コンデンサの静電容量を形成しており、
前記コンデンサは、前記トリミング電極の前記少なくとも一部の領域が前記筐体から露呈可能となるように前記筐体に収納されており、
前記筐体から外部に露呈された、前記トリミング電極を構成する前記少なくとも一部の領域の面積が、前記共振回路として所望される共振周波数に対応して変更されていることを特徴とする位置指示器を提供する。
【手続補正３】
【補正対象書類名】明細書
【補正対象項目名】００６８
【補正方法】変更
【補正の内容】
【００６８】
このようにして、位置検出装置２００では、接近した位置指示器１００の位置を処理制御部２３３で検出することができる。しかも、受信した信号の位相（周波数偏移）を検出することにより、位置指示器１００で押下操作子１１７が押下されたか否かを検出することができる。